(57)【特許請求の範囲】
【請求項１】
画像データの記録制御を行なう記録制御部と、該記録制御部に対して画像データを供給する本体制御部とを有する画像記録装置において、
前記記録制御部及び前記本体制御部に電源供給を行なう電源供給手段と、
前記記録制御部の状態が正常状態であるか否かを判別する第１判別手段と、
前記第１判別手段により異常状態であると判別された場合、その異常状態の内容を判別する第２判別手段と、
前記第１判別手段により前記記録制御部が正常状態であると判別された場合は、前記電源供給手段によって前記記録制御部に電源供給を行なっている状態で且つ記録動作可能な第１の待機電源状態に該記録制御部を切換え、前記第２判別手段によりその異常状態がキャリッジの移動によって不具合が発生しないような異常状態と判別された場合、低消費電力待機状態である第２の待機電源状態に記録制御部を切換える電源状態切換手段と、
を有することを特徴とする画像記録装置。
【請求項２】
前記電源状態切換手段は、前記第２判別手段によりその異常状態がキャリッジの移動によって不具合が発生するような異常状態と判別された場合、前記第１の待機電源状態に前記記録制御部を切換えることを特徴とする請求項１に記載の画像記録装置。
【請求項３】
前記第１判別手段及び第２判別手段は前記本体制御部に、前記電源状態切換手段は前記記録制御部にそれぞれ設けられ、前記本体制御部は、該第１判別手段及び第２判別手段による判別結果に基づいて前記電源状態切換手段に対して待機電源状態の切換指示を行なう切換指示手段を有することを特徴とする請求項１又は２に記載の画像記録装置。
【請求項４】
画像データの記録制御を行なう記録制御部と、該記録制御部に対して画像データを供給する本体制御部とを有する画像記録装置の制御方法において、
前記記録制御部及び前記本体制御部に電源供給を行なう電源供給工程と、
前記記録制御部の状態が正常状態であるか否かを判別する第１判別工程と、
前記第１判別工程により異常状態であると判別された場合、その異常状態の内容を判別する第２判別工程と、
前記第１判別工程により前記記録制御部が正常状態であると判別された場合は、前記電源供給工程によって前記記録制御部に電源供給を行なっている状態で且つ記録動作可能な第１の待機電源状態に該記録制御部を切換え、前記第２判別工程によりその異常状態がキャリッジの移動によって不具合が発生しないような異常状態と判別された場合、低消費電力待機状態である第２の待機電源状態に記録制御部を切換える電源状態切換工程と、
を有することを特徴とする画像記録装置の制御方法。
【請求項５】
前記電源状態切換工程は、前記第２判別工程によりその異常状態がキャリッジの移動によって不具合が発生するような異常状態と判別された場合、前記第１の待機電源状態に前記記録制御部を切換えることを特徴とする請求項４に記載の画像記録装置の制御方法。
【請求項６】
前記第１判別工程及び第２判別工程は前記本体制御部に、前記電源状態切換工程は前記記録制御部にそれぞれ設けられ、前記本体制御部は、該第１判別工程及び第２判別工程による判別結果に基づいて前記電源状態切換工程に対して待機電源状態の切換指示を行なう切換指示工程を有することを特徴とする請求項４又は５に記載の画像記録装置の制御方法。
【請求項７】
画像データの記録制御を行う記録制御部に対して画像データを供給する本体制御部により実行される制御プログラムであって、
前記記録制御部の状態が正常であるか否かを判別し、異常状態であると判別された場合は、更にその異常状態の内容を判別し、正常状態であると判別された場合は、該記録制御部に対して、該記録制御部に電源供給がなされている状態で且つ記録動作可能な第１の待機電源状態に切換えるように指示し、該記録制御部の異常状態がキャリッジの移動によって不具合が発生しないような異常状態と判別された場合は、該記録制御部に対して、低消費電力待機状態である第２の待機電源状態に切換えるように指示する内容を有することを特徴とする制御プログラム。
【請求項８】
本体制御部から供給された画像データの記録制御を行う記録制御部により実行される制御プログラムであって、
前記本体制御部により前記記録制御部が正常であると判別されて該記録制御部を第１の待機電源状態に切換えるように指示された場合は、該記録制御部に電源供給がなされている状態で且つ記録動作可能な第１の待機電源状態に該記録制御部を切換え、該記録制御部の異常状態がキャリッジの移動によって不具合が発生しないような異常状態と判別されて該記録制御部を第２の待機電源状態に切換えるように指示された場合は、低消費電力待機状態である第２の待機電源状態に該記録制御部を切換える内容を有することを特徴とする制御プログラム。
【発明の詳細な説明】
【０００１】
【発明の属する技術分野】
本発明は、本体制御部と本体制御部から転送された画像データを記録する記録制御部を有する画像記録装置に関する。
【０００２】
【従来の技術】
従来、本体制御部と記録制御部よりなる画像記録装置は、電源スイッチがオンされている状態では、本体制御部も記録制御部も常時電源オン状態となっていた。このため、記録制御部が何らかの原因で動作不能（エラー）状態の時でも、記録制御部は電源オン待機状態となっているため、電力を無駄に消費していた。
【０００３】
そこで、この問題を解決するために、特開平０７−２７３９１８号公報に係る画像記録装置では、記録制御部に３つの待機電源状態（ハード電源オフ状態、ハード電源オンでソフト電源オフ状態、ハード電源オンでソフト電源オン状態）を有し、これら待機電源状態を記録制御部の動作状態に応じて切換えることで、消費電力の低減化を図っている。
【０００４】
具体的には、電源投入時に、本体制御部、記録制御部をハード的に電源はオンとして電源を供給しているが、記録制御部のハード電源オンの初期化を行っただけの低消費電力待機状態（ソフト電源オフ状態）にしており、記録制御部が動作を開始する時に記録動作可能状態（ソフト電源オン状態）に移行させ、記録動作が終了した時には低消費電力待機状態（ソフト電源オフ状態）に戻すことで、記録動作を停止している間は電力を極力消費しないようにしている。
【０００５】
【発明が解決しようとする課題】
しかしながら、上記公報に示されている画像記録装置のように、記録動作開始時に毎回、記録制御部を記録動作可能状態（ソフト電源オン状態）に移行させ、記録動作終了時に必ず記録制御部を低消費電力待機状態（ソフト電源オフ状態）に戻すようにすると、記録動作毎に行う記録制御部のソフト電源オン処理とソフト電源オフ処理に時間がかかってしまい、記録動作開始から記録動作終了までのトータルの記録動作所要時間が長くなっていた。
【０００６】
本発明は、このような従来記述の問題に鑑みてなされたもので、その課題は、消費電力の低減化を図りつつ、迅速に記録処理を行えるようにすることにある。
【０００７】
【課題を解決するための手段】
上記課題を解決するため、本発明は、画像データの記録制御を行なう記録制御部と、該記録制御部に対して画像データを供給する本体制御部とを有する画像記録装置において、前記記録制御部及び前記本体制御部に電源供給を行なう電源供給手段と、前記記録制御部の状態が正常状態であるか否かを判別する第１判別手段と、前記第１判別手段により異常状態であると判別された場合、その異常状態の内容を判別する第２判別手段と、前記第１判別手段により前記記録制御部が正常状態であると判別された場合は、前記電源供給手段によって前記記録制御部に電源供給を行なっている状態で且つ記録動作可能な第１の待機電源状態に該記録制御部を切換え、前記第２判別手段によりその異常状態がキャリッジの移動によって不具合が発生しないような異常状態と判別された場合、低消費電力待機状態である第２の待機電源状態に記録制御部を切換える電源状態切換手段とを有している。
【０００８】
また、本発明は、画像データの記録制御を行なう記録制御部と、該記録制御部に対して画像データを供給する本体制御部とを有する画像記録装置の制御方法において、前記記録制御部及び前記本体制御部に電源供給を行なう電源供給工程と、前記記録制御部の状態が正常状態であるか否かを判別する第１判別工程と、前記第１判別工程により異常状態であると判別された場合、その異常状態の内容を判別する第２判別工程と、前記第１判別工程により前記記録制御部が正常状態であると判別された場合は、前記電源供給工程によって前記記録制御部に電源供給を行なっている状態で且つ記録動作可能な第１の待機電源状態に該記録制御部を切換え、前記第２判別工程によりその異常状態がキャリッジの移動によって不具合が発生しないような異常状態と判別された場合、低消費電力待機状態である第２の待機電源状態に記録制御部を切換える電源状態切換工程とを有している。
【０００９】
また、本発明は、画像データの記録制御を行う記録制御部に対して画像データを供給する本体制御部により実行される制御プログラムであって、前記記録制御部の状態が正常であるか否かを判別し、異常状態であると判別された場合は、更にその異常状態の内容を判別し、正常状態であると判別された場合は、該記録制御部に対して、該記録制御部に電源供給がなされている状態で且つ記録動作可能な第１の待機電源状態に切換えるように指示し、該記録制御部の異常状態がキャリッジの移動によって不具合が発生しないないような異常状態と判別された場合は、該記録制御部に対して、低消費電力待機状態である第２の待機電源状態に切換えるように指示する内容を有している。
【００１０】
また、本発明は、本体制御部から供給された画像データの記録制御を行う記録制御部により実行される制御プログラムであって、前記本体制御部により前記記録制御部が正常であると判別されて該記録制御部を第１の待機電源状態に切換えるように指示された場合は、該記録制御部に電源供給がなされている状態で且つ記録動作可能な第１の待機電源状態に該記録制御部を切換え、該記録制御部の異常状態がキャリッジの移動によって不具合が発生しないような異常状態と判別されて該記録制御部を第２の待機電源状態に切換えるように指示された場合は、低消費電力待機状態である第２の待機電源状態に該記録制御部を切換える内容を有している。
【００１１】
【発明の実施の形態】
以下、本発明の実施の形態を図面に基づいて説明する。
【００１２】
図１は、本発明を適用したファクシミリ装置の概略構成を示すブロック図である。本ファクシミリ装置は、本体制御部１と記録制御部２により構成されている。
【００１３】
本体制御部１は、画像記録動作を除く動作、すなわち、ファクシミリ通信、画像読取、画像メモリ管理、ユーザ登録等のファクシミリ動作の諸機能を実行する。記録制御部２は、コピー画像、受信画像及び外部入力画像を記録する。
【００１４】
次に、本体制御部１の構成を説明する。
【００１５】
１０１は、本体制御部１の画像データ処理動作を制御するためのＭＰＵ、１０２は、プログラムコード、初期値データ、テーブルデータなどが格納されているＲＯＭである。１０３は、ＲＡＭであり、画像データを蓄積するためのＤＲＡＭや、プログラム制御変数などを格納するワークメモリとして使用されるＳＲＡＭ等で構成されている。
【００１６】
１０４は、画像処理部であり、エッジ強調処理、輝度／濃度変換処理、多値／2値変換処理などを行っている。１０５は、コピーキー、プリンタキーなどで構成されるキーボードや、ＬＣＤなどの表示部を含むオペレーションパネルである。１０６は、画像通信用モデム、ＮＣＵ等により構成された通信部である。１０７は、画像を読取るためのコンタクト・センサー、読取った画像を処理する画像処理ＬＳＩなどを備えて読取処理を行う読取部である。
【００１７】
１０８は、記録データ処理部であり、2値データを記録用ネイティブコマンドに変換するものである。１０９は、ＪＰＥＧ、ＪＢＩＧ等の方式で画像データを圧縮／伸長する圧縮／伸長部である。１１０は、Ｐ１２８４規格準拠のＢｉ−ｄｉｒｅｃｔｒｙ（Ｂｉ−ｃｅｎｔｒｏ）で構成されるセントロニクスコネクタであり、ＰＣ（パーソナルコンピュータ）と双方向で制御を行うためのものである。１１１は、本体制御部１、ＰＣ、記録制御部２間のインターフェース制御を司るインターフェース（Ｉ／Ｆ）制御部であり、記録制御部２とＰＣとのインターフェースであるセントロニクスコネクタ１１０と接続させるか、本体制御部１と接続させるかの切換を制御している。
【００１８】
次に、記録制御部２の構成を説明する。
【００１９】
２０１は、記録制御部２の画像記録処理動作を制御するためのＭＰＵ、２０２は、プログラムコード、初期値データ、テーブルデータ、多種のフォントデータなどが格納されているＲＯＭ、２０３は、受信バッファ、ラスタバッファ、テキストバッファ、プリントバッファ、フッタバッファ、ワークエリアなどからなるＲＡＭである。２０４は、インクを吐出させる印字ヘッドである。２０５は、記録紙後端検出センサであり、記録紙の後端（ＰＥ）を検出する。２０６は、記録紙を搬送するモータである。
【００２０】
次に、本体制御部１と記録制御部２のインターフェースについて説明する。
【００２１】
３０１は、本体制御部１のＭＰＵ１０１と記録制御部２のＭＰＵ２０１を結ぶシリアル信号線であり、全二重非同期通信（ＵＡＲＴ）のシリアル通信を行っている。本体制御部１は、このシリアル通信を用いた独自のコマンドを使って記録制御部２へ指示を送り、様々な機能を実行させている。
【００２２】
具体的には、記録制御部２の動作状態、エラー状態、カウンタ値などを本体制御部１に通知させたり、本体制御部１から指示したデータを記録制御部２の内部変数として設定させたり、記録制御部２のソフト電源オン／オフ、ジョブキャンセルなどの処理を実行させたりしている。
【００２３】
３０２は、Ｉ／Ｆ制御部１１１とＲＡＭ２０３を結ぶセントロニクス・インターフェースであり、本体制御部１からは、制御コマンド、画像データ、文字コードデータを、一般コマンド体系とファクシミリコマンド体系に従って転送している。Ｉ／Ｆ制御部１１１には、セントロニクスコネクタ１１０が接続され、これを介して本ファクシミリ装置とパーソナルコンピュータ等の外部機器が接続されている。このセントロニクスコネクタ１１０、インターフェース制御部１１１を介して、外部機器から制御コマンド、画像データ、文字コードデータが、一般コマンド体系に従って記録制御部２に転送される。
【００２４】
３０３は、パーソナルコンピュータと接続するＰ１２８４（Ｂｉ−ｃｅｎｔｒｏ）ケーブルである。３０４は、公衆回線等と接続するモジュラーケーブルである。３０５は、電源立ち上げ時や記録制御部２の異常状態の解除時に使用するリセット信号線である。４０１は、電源供給部であり、４０２，４０３は、それぞれ本体制御部１，記録制御部２へ電源を供給するための電源供給パスである。
【００２５】
本ファクシミリ装置は、３つの待機電源状態を有している。第１の待機電源状態は、ハード的に電源が断となっており、記録制御部２、本体制御部１に給電されていない状態である。第２の待機電源状態は、ハード的に電源はオンとなっており、本体制御部１、記録制御部２にも給電されており、記録制御部２が記録動作可能状態（ソフト電源オン状態）になっている状態である。第３の待機電源状態状態は、ハード的に電源はオンとなっており、本体制御部１、記録制御部２に給電されているが、記録制御部２は、ハード電源オンの初期化を行っただけの低消費電力待機状態（ソフト電源オフ状態）になっている状態である。
【００２６】
本ファクシミリ装置は、このような３つの待機電源状態を設け、記録制御部２の状態に応じて、以下のようにして待機電源状態を切り換えている。
【００２７】
すなわち、まず、記録制御部２が正常状態の場合に、第３の待機電源状態のように記録制御部２の状態を低消費電力待機状態（ソフト電源オフ状態）にしておくと、コピー、受信等の印字要求がある度に、記録制御部２を記録動作可能にするためにソフト電源オン処理を行う必要があり、また、印字動作が正常に終了してもソフト電源オフ処理を行うと、トータルの記録動作に要する時間が長くなってしまう。
【００２８】
従って、記録制御部２が正常状態の場合には、第２の待機電源状態、すなわち記録制御部２を記録動作可能状態（ソフト電源オン状態）にしておき、印字動作の迅速化を図っている。
【００２９】
また、記録制御部２がエラー状態で記録動作が不能であるにも拘わらず、第２の待機電源状態、すなわち記録制御部２を記録動作可能状態（ソフト電源オン状態）に保つと、電力を無駄に消費してしまい、さらに、記録制御部２のＭＰＵ２０１が暴走する、画像データが残留してしまう等の不具合が発生する可能性もある。
【００３０】
そこで、記録制御部２がエラー状態の場合は、原則として、記録制御部２を第３の待機電源状態の低消費電力待機状態（ソフト電源オフ状態）にして、低消費電力化を図ると共に、記録制御部２のＭＰＵ２０１の暴走や画像データの残留を防止している。
【００３１】
ただし、例えば、記録紙ジャムエラー、カートリッジジャムエラーなど、ソフト電源オフ処理を行うと、ジャム状態であるにも拘わらずキャリッジが移動してしまい、ジャムの状態が更に悪化する場合のように、ソフト電源オフ処理に伴うキャリッジの移動により不具合が発生するようなエラー状態の場合には、ソフト電源オン状態を維持している。
【００３２】
なお、ソフト電源オフ処理により不具合が発生しないエラー状態としては、例えば、インク無し状態など、電源オフ処理に伴ってキャリッジが移動しても構わないようなエラー状態がある。
【００３３】
次に、本ファクシミリ装置における電源投入時の初期化処理を、図２のフローチャートに基づいて説明する。
【００３４】
ファクシミリ装置に電源が投入されると、本体制御部１のＭＰＵ１０１は、ＲＯＭ１０２に格納された制御プログラムに基づいて、まず、周辺装置（通信部１０６、読取部１０７、記録データ処理部１０８等）を初期化する（ステップＳ２０１）。その後、リセット信号線３０５を介して、記録制御部２に対してリセットを指示する（ステップＳ２０２）。このリセット指示に応答して、記録制御部２は、ハード電源オン初期化処理を行う。
【００３５】
本体制御部１のＭＰＵ１０１は、１００ｍ秒ほど待った後、シリアル信号線３０１を介して、記録制御部２に対してソフト電源オンを指示する（ステップＳ２０３）。記録制御部２は、ソフト電源オン指示を受けると、ソフト電源オン処理を行う。なお、本フローチャートでは、ソフト電源オン処理は、正常に終了したものと見なしている（図３、図６も同様）。
【００３６】
次に、本体制御部１のＭＰＵ１０１は、記録制御部２にエラーが発生しているか否かを判別する（ステップＳ２０４）。その結果、エラーが発生していなければ、プリンタセッティング処理を行い（ステップＳ２０９）、記録制御部２をソフト電源オン状態にしたまま待機状態となる。
【００３７】
一方、エラーが発生していれば、エラー音鳴動やオペレーションパネル１０５のＬＣＤにエラー表示を行うなどのエラー警告処理を行う（ステップＳ２０５）。そして、そのエラーが、記録制御部２に対してソフト電源オフ処理を行っても構わないエラーであるか否か、すなわち、ソフト電源オフ処理により不具合が発生しないエラー、例えば、インク無し状態など、電源オフ処理に伴ってキャリッジが移動しても不具合が発生しないエラーであるか否かを判別する（ステップＳ２０６）。
【００３８】
その結果、ソフト電源オフ処理を行っても構わないエラーであれば、ＭＰＵ１０１は、シリアル信号線３０１を介して記録制御部２に対してソフト電源オフ処理を行うよう指示する（ステップＳ２０７）。記録制御部２は、ソフト電源オフ処理を行うよう指示されると、ソフト電源オフ処理を行う。ＭＰＵ１０１は、記録制御部２のソフト電源オフ処理が終了したか否かを確認し（ステップＳ２０８）、終了する。この場合、記録制御部２は、ソフト電源オフ状態で待機状態となる。
【００３９】
ステップＳ２０６にて、ソフト電源オフ処理を行っては拙いエラーであると判別された場合は、そのまま終了し、待機状態に入る。この場合は、記録制御部２は、ソフト電源オン状態で待機状態となる。
【００４０】
なお、ソフト電源オフ処理を行っては拙いエラーとしては、例えば、記録紙ジャムエラー、カートリッジジャムエラーなど、ソフト電源オフ処理を行うと、ジャム状態であるにも拘わらずキャリッジが移動してしまい、ジャムの状態が更に悪化する場合のように、ソフト電源オフ処理に伴うキャリッジの移動により不具合が発生するようなエラーがある。
【００４１】
次に、コピー処理を図３，４のフローチャートに基づいて説明する。
【００４２】
読取部１０７で読取った原稿の生画像データに対して画像処理部１０５で解像度変換などを行った後、記録制御部２へ転送することによりコピー処理を行う。
【００４３】
オペレーションパネル１０５により、コピー処理が指示されると、本体制御部１のＭＰＵ１０１は、記録動作可能な状態であるか否かを判断する（ステップＳ３０１）。その結果、記録動作不能な状態であれば、例えば、記録制御部２が記録紙無しエラー、記録紙ジャムエラー、インク無しエラーなどのエラー状態であるか、または記録制御部のカバーオープンの場合は、コピー動作を終了する。
【００４４】
一方、記録動作可能な状態であれば、読取セマフォ、記録セマフォを双方とも獲得できたか否かを判別する（ステップＳ３０２）。その結果、読取セマフォ、記録セマフォの少なくとも一方を獲得できなかった場合は、コピー動作を終了する。なお、記録セマフォは、他のタスク（送受信）が動作しているときは獲得できない。
【００４５】
一方、読取セマフォ、記録セマフォを双方とも獲得できた場合は、記録制御部２がソフト電源オン状態であるか否かを判別する（ステップＳ３０３）。その結果、ソフト電源オン状態であれば、読取処理を行う（ステップＳ３０６）。
【００４６】
一方、ソフト電源オフ状態であれば、シリアル信号線３０１を介して記録制御部２にソフト電源オン処理を行うよう指示する（ステップＳ３０４）。次に、本体制御部１のＭＰＵ１０１は、記録制御部２にエラーが発生しているか否かを判別する（ステップＳ３０５）。その結果、エラーが発生していなければ、ステップＳ３０６に進み、読取処理を行う。
【００４７】
エラーが発生していれば、エラー音鳴動やオペレーションパネル１０５のＬＣＤにエラー表示を行うなどのエラー警告処理を行う（ステップＳ３１３）。そして、そのエラーが、記録制御部２に対してソフト電源オフ処理を行っても構わないエラーであるか否かを判別する（ステップＳ３１４）。
【００４８】
その結果、ソフト電源オフ処理を行っても構わないエラーであれば、ＭＰＵ１０１は、シリアル信号線３０１を介して記録制御部２に対してソフト電源オフ処理を行うよう指示する（ステップＳ３１５）。次に、記録制御部２のソフト電源オフ処理が終了したか否かを確認し（ステップＳ３１６）、後述のステップＳ３１２に進む。
【００４９】
ステップＳ３１４にて、ソフト電源オフ処理を行っては拙いエラーであると判別された場合は、そのまま後述のステップＳ３１２に進む。
【００５０】
ステップＳ３０６での読取処理が行われると、その読取られた画像データは、画像処理部１０４と記録データ処理部１０８で画像データ加工、変換処理が施され（ステップＳ３０７）、セントロニクス・インターフェース３０２を介して記録制御部２のＲＡＭ２０３（受信バッファ）へ転送される（ステップＳ３０８）。
【００５１】
受信バッファに蓄積された画像データは、順次、印字ヘッド２０４で印字される（ステップＳ３０９）。ＭＰＵ１０１は、読取、記録動作が行われている最中に、シリアル信号線３０１を介して記録制御部２の状態を監視し（ステップＳ３１０）、エラー状態が確認された場合は、前述のエラー警告処理へ移行する（ステップＳ３１３）。エラー状態が確認されない場合には、全ての画像データについて一連の読取・記録処理（ステップＳ３０６〜Ｓ３１０）が終了したか否かを確認する（ステップＳ３１１）。終了していない場合には、ステップＳ３０６に戻ることにより、読取・記録処理を全ての画像データについて終了するまで続ける。
【００５２】
全ての画像データについて一連の読取・記録処理が終了した場合には、読取セマフォ、記録セマフォを開放して（ステップＳ３１２）、終了する。
【００５３】
次に、ファクシミリ受信処理を図５のフローチャートに基づいて説明する。
【００５４】
本ファクシミリ装置において、ファクシミリ受信動作では、まず、ファクシミリ呼設定、前手順処理を行った後（ステップＳ４０１）、記録動作可能な状態であるか否かを判断し（ステップＳ４０２）、記録動作が可能な状態であれば、記録セマフォを獲得できたか否かを判別する（ステップＳ４０３）。その結果、記録セマフォを獲得できた場合は、記録タスクを起動して（ステップＳ４０４）、ステップS４０５に進む。また、記録動作不能な状態、記録セマフォを獲得できなかった場合も、ステップS４０５に進む。
【００５５】
ステップＳ４０５では、ファクシミリ受信処理を行う（ステップＳ４０５）。ステップＳ４０５において受信した画像は、画像メモリ（ＲＡＭ１０３）に格納し（ステップＳ４０６）、ファクシミリ受信が終了したか否かを確認する（ステップＳ４０７）。ファクシミリ受信が終了していなければ、ステップＳ４０５に戻る。ファクシミリ受信が終了した場合は、後手順処理を行うと共に呼を解放して（ステップＳ４０８）、終了する。
【００５６】
なお、画像メモリに格納された画像データは、起動された記録タスクによって記録される。
【００５７】
次に、記録タスクによる記録処理を、図６のフローチャートに基づいて説明する。
【００５８】
ＭＰＵ１０１は、記録タスクが起動されると、まず、記録制御部２がソフト電源オン状態であるか否かを判別する（ステップＳ５０１）。その結果、ソフト電源オン状態であれば、後述のステップＳ５０４に進む。一方、ソフト電源オフ状態であれば、シリアル信号線３０１を介して記録制御部２にソフト電源オン処理を行うよう指示する（ステップＳ５０２）。
【００５９】
次に、本体制御部１のＭＰＵ１０１は、記録制御部２にエラーが発生しているか否かを判別する（ステップＳ５０３）。その結果、エラーが発生していなければ、ステップＳ５０４に進む。エラーが発生していれば、エラー音鳴動やオペレーションパネル１０５のＬＣＤにエラー表示を行うなどのエラー警告処理を行う（ステップＳ５１１）。そして、そのエラーが、記録制御部２に対してソフト電源オフ処理を行っても構わないエラーであるか否かを判別する（ステップＳ５１２）。
【００６０】
その結果、ソフト電源オフ処理を行っても構わないエラーであれば、ＭＰＵ１０１は、シリアル信号線３０１を介して記録制御部２に対してソフト電源オフ処理を行うよう指示する（ステップＳ５１３）。次に、記録制御部２のソフト電源オフ処理が終了するのを待って（ステップＳ５１４）、後述のステップＳ５１０に進む。
【００６１】
ステップＳ５０４では、受信した画像データが画像メモリ（ＲＡＭ１０３）に有るか否かを判別する。その結果、受信した画像データが有れば、その画像データに対して記録データ処理部１０８でデータ加工、変換処理が施され（ステップＳ５０５）、セントロニクス・インターフェース３０２を介して記録制御部２のＲＡＭ２０３（受信バッファ）へ転送される（ステップＳ５０６）。受信バッファに蓄積された画像データは、ＭＰＵ２０１の制御の下で、順次、印字ヘッド２０４で印字される（ステップＳ５０７）。
【００６２】
ＭＰＵ１０１は、読取、記録動作が行われている最中に、シリアル信号線３０１を介して記録制御部２の状態を監視し（ステップＳ５０８）、エラー状態が確認された場合は、エラー警告処理へ移行する（ステップＳ５１１）。エラー状態が確認されない場合には、全ての画像データについて、ステップＳ５０４〜５０７の一連の記録処理が終了したか否かを判別し（ステップＳ５０９）、終了していない場合には、ステップＳ５０４に戻ることにより、全ての画像データについて、一連の記録処理を行う。
【００６３】
全ての画像データについて、一連の記録処理が終了した場合は、記録セマフォを開放して（ステップＳ５１０）、記録タスクを終了する。
【００６４】
このように、本実施形態では、記録制御部が正常状態であれば、記録処理が可能なソフト電源オン状態に切換え、消費電力の少ないソフト電源オフ状態に切換えても不具合が発生しない異常状態であれば、記録制御部をソフト電源オフ状態に切換え、消費電力の少ないソフト電源オフ状態に切換えると不具合が発生する異常状態であれば、記録制御部をソフト電源オン状態に切換えることにより、消費電力の低減化を図りつつ、迅速に記録処理を行うようにしている。
【００６５】
【発明の効果】
以上説明したように、本発明によれば、消費電力の低減化を図りつつ、迅速に記録処理を行うことが可能となる。
【図面の簡単な説明】
【図１】本発明を適用したファクシミリ装置の概略構成を示すブロック図である。
【図２】電源投入初期化処理を示すフローチャートである。
【図３】コピー処理を示すフローチャートである。
【図４】図３の続きのフローチャートである。
【図５】ファクシミリ受信処理を示すフローチャートである。
【図６】記録処理を示すフローチャートである。
【符号の説明】
１０１：本体制御部のＭＰＵ
１０２：本体制御部のＲＯＭ
１０３：本体制御部のＲＡＭ
１０４：画像処理部
１０５：オペレーションパネル
１０６：通信部
１０７：読取部
１０８：記録データ処理部
１０９：画像データの伸張／圧縮処理部
１１０：セントロニクスコネクタ
１１１：Ｉ／Ｆ制御部
２０１：記録制御部のＭＰＵ
２０２：記録制御部のＲＯＭ
２０３：記録制御部のＲＡＭ
３０１：シリアル信号線
４０１：電源供給部
４０２：本体制御部の電源供給パス
４０３：記録制御部の電源供給パス
【図１】
0003919484.tif 000002
【図２】
0003919484.tif 000003
【図３】
0003919484.tif 000004
【図４】
0003919484.tif 000005
【図５】
0003919484.tif 000006
【図６】
0003919484.tif 000007